(57)【要約】【課題】森林管理で使用するエンジン駆動のチェーンソーや山野での草刈り作業に使用するエンジン駆動の草刈機はエンジン音の防音対策が不十分である。この様な飛散騒音環境作業には安全のためにシールド付のヘルメットに加えて防音用のイヤーマフを身に着ける事が望ましい。しかしイヤーマフの脱着の煩わしさからイヤーマフをしないことが多い。この場合意識しないまま難聴が進行することが心配され課題となる。【解決手段】ヘルメットに取り付けられたシールド１８を持ち上げると引っ張りアーム２によりイヤーマフフレーム３は持ち上がると共にポール４に乗り上げてヘルメット後方に回転してイヤーマフ１９がヘルメット２０の後方に納まる。逆にシールド１８を下げると前スプリング６と後スプリング８に両側から引っ張られたスプリングフック７によりイヤーマフフレーム３のスライドバー１４に圧力を加えてイヤーマフ１９を耳に適当な圧力で押して装着する。このようにシールドとイヤーマフの動作を連動させる。【選択図】図５
2009024312.tif 000002
【特許請求の範囲】
【請求項１】
装着者の頭部を覆うヘルメットに取り付け台座を介して取り付けるシールドとイヤーマフとの連動機構において、シールドフレームと該シールドフレームに取り付けられた引っ張りアームとイヤーマフフレームと該イヤーマフフレームに取り付けられたヒンジと前記イヤーマフフレームを支える前記取り付け台座上で自在に動くポールからなる機構を特徴とする前記シールドと前記イヤーマフの機構。
【請求項２】
前記ヘルメットにおいて前記シールドフレームと該シールドフレームに取り付けられた前スプリングと、前記取り付け台座に取り付けられた後スプリングと前記前スプリングと前記後スプリングとを連結するフックと前記イヤーマフフレームと該イヤーマフフレームに取り付けられたヒンジと前記イヤーマフフレームを支える前記取り付け台座上で自在に動くポールからなる機構を特徴とする前記シールドと前記イヤーマフの機構。
【発明の詳細な説明】
【技術分野】
【００１】  本発明は飛散騒音環境下で使用されるヘルメットのシールドと遮音を目的としたイヤーマフに関するものである。
【背景技術】
【００２】  従来イヤーマフは騒音環境下で作業者の難聴化を防止するため遮音を目的として用いられるものであり、ヘッドホンの様に頭からかぶる構造が一般的である。【００３】  また飛散物を伴う騒音環境化ではシールド付ヘルメットの装着と共にイヤーマフを装着することが一般的である。ここで従来の技術ではイヤーマフを左右に個別に前記ヘルメットに取り付けて置くか、ヘッドホンの様に前記ヘルメットの上からかぶる構造となる。
【発明の開示】
【発明が解決しようとする課題】
【００４】  しかしながら、上述でのヘルメットの脱着については、まずイヤーマフとシールドが直接装備されているヘルメットにおいてはシールドを上げイヤーマフを広げて脱着することになる。またイヤーマフがヘッドホンの様な形のものではイヤーマフを両手で脱着しなければならない。また作業を中断して人と会話をする時は、その都度イヤーマフを取り外す場合は両手で外さなくてはならない。さらに作業再開時には再度両手でイヤーマフを装着しなければならない。【００５】  このように従来のイヤーマフの取り扱いは両手で脱着することになり脱着時間と操作に負担が掛かりその煩わしさから使用をためらうという課題があった。
【課題を解決するための手段】
【００６】  上記課題を解決するために請求項１の発明は、。ヘルメットに取り付け台座を介して取り付けるシールドとイヤーマフとの連動機構において、シールドフレームと該シールドフレームに取り付けられた引っ張りアームとイヤーマフフレームと該イヤーマフフレームに取り付けられたヒンジと前記イヤーマフフレームを支える前記取り付け台座上で自在に動くポールからなる機構を特徴とする【００７】  この機構によれば、前記シールドを上げると、連動して前記引っ張りアームが前記イヤーマフフレームを引っ張る、この時前記イヤーマフは初期動作では前記ヒンジを支点として引き上げ動作となり次第に前記ポールに乗り上げ回転動作となり前記ヘルメット後方に納まる。【００８】  請求項２の発明は、ヘルメットに取り付け台座を介して取り付けるシールドとイヤーマフとの連動機構において、シールドフレームと該シールドフレームに取り付けられた引っ張りアームとイヤーマフフレームと該イヤーマフフレームに取り付けられたヒンジと前記イヤーマフフレームを支える前記取り付け台座上で自在に動くポールからなる機構を特徴とする。【００９】  この機構によれば、前記シールドを上げている状態から下げる動作に連動して前記イヤーマフフレームは両側を前記前スプリングと後スプリングとで引っ張られた前記スプリングフックにより押し付けられ、前記イヤーマフを両耳に適当な圧力で押し当てることができる。
【発明の効果】
【０１０】  請求項１の発明によれば、片手で前記シールドを上げると前記イヤーマフも両耳から離れ、耳を開放できる。請求項２の発明によれば、片手で前記シールドを下げることで前記イヤーマフが適当な圧力で両耳を覆うことができる。このように片手でシールドを操作することで簡便にイヤーマフの開放と装着ができるので、騒音環境下での作業を煩わせることを減少できる。
【発明を実施するための最良の形態】
【０１１】  本発明を実施するための最良の形態を添付図に基づいて以下に説明する。【０１２】  図１は本発明の機構を装着したヘルメット２０である。前記機構は取り付け台座９に組み込んである。前記ヘルメット２０には前記取り付け台座９を介して前記機構を装着する構造である。【０１３】  ここで本発明の機構の内、シールド１８を上げる時の動作について図５を基に説明する。シールドフレーム１の裏には引っ張りアーム２がアームフック１７に回転自在に取り付けてある。イヤーマフフレーム３にはヒンジ５が取り付けてあり該ヒンジ５の端のヒンジフック１０に前記引っ張りアーム２を回転自在に取り付けてある。前記ヒンジ５は前記取り付け台座９に回転軸１２にて回転自在に取り付けられ前記イヤーマフフレーム３は前記取り付け台座９に回転自在で前記ヒンジ５の開閉方向にも回転自在である。ポール４は前記取り付け台座９に回転自在かつどの方向にも直立および倒すことができる。例えばラジオのロッドアンテナの動きに似ている。前記ポール４の先端は前記イヤーマフフレーム３の中央のイヤーマフフレームフック１１に回転自在に取り付けてある。【０１４】  ここで動作について図５を基に説明する。図５について、前記シールドフレーム１をあげると前記引っ張りアーム２により前記イヤーマフフレーム３が回転を始める。このとき、該イヤーマフフレーム２は回転の初期には前記ポール４が支えとなりヒンジ５の開く方向を伴って回転するので前記イヤーマフフレーム３はイヤーマフ１９を耳から浮き上げる。さらに図６について、前記ポール４は次第に立ち上がり前記イヤーマフフレーム３は前記回転軸１２を中心に回転し前記ヘルメット２０の後方に停止納まる。【０１５】  次に本発明の機構の内、前記シールド１８を下げる動作について説明する。シールドフレーム１に前スプリング６が前スプリングフック１５に回転自在に取り付けてある。また取り付け台座９の後スプリングフック１６に後スプリング８を回転自在に取り付けてあり、前記前スプリング６と前記後スプリング８とはスプリングフック７の両端で連結されている。該スプリングフック７はイヤーマフフレーム３のスライドバー１４の上を通してある。【０１６】  ここで動作について図５を基に説明する。図６について、前記ヘルメット２０のシールドフレーム１を上がっている状態から下げると前期のシールド１８を上げる説明と逆の動作で図５の状態へ移行する。このとき前記シールドフレーム１が下がるに伴い、両側を前記前スプリング６と前記後スプリング８で引っ張られたスプリングフック７が前記スライドバー１４を前記スプリングフック７で押さえ付けていく。こうして前記イヤーマフフレーム３がイヤーマフ１９で耳を適当な圧力で押さえる。また前記スプリングフック７は前記シールド１８を上げる動作の時には前記スライドバー１４から次第に離れて行くので前記シールド１８を上げる動作の妨げとはならない。さらに前記前スプリング６および前記後スプリング８の弾性力により前記シールド１８が不用意に上がらないように押さえる効果がある。
【実施形態の効果】
【０１７】  このように本発明の機構によればイヤーマフの上げ下げがシールドを方手で操作すれば簡便にできるので、森林でのエンジン動力のチェーンソーを使う作業や山野でのエンジン動力の草刈機を使う作業などの飛散騒音環境での作業に最適である。
【他の実施形態】
【０１８】  図５の実施形態ではスプリングの弾性力でイヤーマフ１９を耳に押し当てていたが、耳を押さえる圧力が足りない場合は、他の実施形態としてポールを硬い棒で押さえる方法もある。
【０１９】  ここで図９を基に説明すると。イヤーマフフレームＢ２３とポール２４の間にスライドアングル２５を通しシールドフレーム１と取り付け台座９との間に取り付ける。前記スライドアングル２５は前記シールドフレーム１が回転と共に変化する長さを吸収できる。ポールＢ２４は形状を外側に膨らませスライドアングルとの当たりを調整することで、より強くイヤーマフを耳に当てることができる。
【図面の簡単な説明】
【０２０】
【図１】本発明に係る機構を装着したヘルメットの側面図である。
【図２】本発明に係る機構を装着したヘルメットのシールドを上げた作用図である。
【図３】本発明に係る機構を装着したヘルメットの正面図。
【図４】本発明に係る機構を装着したヘルメットのを上面作用図
【図５】本発明に係る機構の側面図。
【図６】本発明に係る機構のシールドフレームを上げた作用図。
【図７】本発明に係る機構のシールドフレームを上げた上面作用図
【図８】イヤーマフフレームにヒンジを取り付けた正面図
【図９】図５の別実施例
【図１０】図６の別実施例
【図１１】図７の別実施例
【符号の説明】
【０２１】１  シールドフレーム
２  引っ張りアーム
３  イヤーマフフレーム
４  ポール
５  ヒンジ
６  前スプリング
７  スプリングフック
８  後スプリング
９  取り付け台座
１０  ヒンジフック
１１  イヤーマフフレームフック
１２  回転軸
１３  台座フック
１４  スライドバー
１５  前スプリングフック
１６  後スプリングフック
１７  アームフック
１８  シールド
１９  イヤーマフ
２０  ヘルメット
２３  イヤーマフフレームＢ
２４  ポールＢ
２５  スライドアングル
【図１】
2009024312.tif 000003
【図２】
2009024312.tif 000004
【図３】
2009024312.tif 000005
【図４】
2009024312.tif 000006
【図５】
2009024312.tif 000007
【図６】
2009024312.tif 000008
【図７】
2009024312.tif 000009
【図８】
2009024312.tif 000010
【図９】
2009024312.tif 000011
【図１０】
2009024312.tif 000012
【図１１】
2009024312.tif 000013